(57)【要約】【課題】キャップの装飾層の剥がれを抑制できる携帯電子機器を提供する。【解決手段】携帯電話機１は、筐体３の、凹部３１に嵌合してコネクタ用開口部２９を閉じることが可能なキャップ１７と、キャップ１７から延びて筐体３内に挿入されており、キャップ１７の筐体３からの離脱を阻止する差込部１９とを有するキャップ部品１５とを有し、キャップ１７の外周面１７ａは、キャップ内側部分が凹状に形成されることにより、キャップ外側部分に突部１７ｂが形成されており、キャップ１７は、樹脂基体１６ａと、樹脂基体１６ａの表面に、突部１７ｂの先端部を含む所定範囲に亘って形成された装飾層１６ｂとを有し、突部１７ｂの内側面４１と突部１７ｂの先端面４３との角部４５よりもキャップ外側にパーティングラインＰＬ２が位置している。【選択図】図６
2009290562.tif 000002
【特許請求の範囲】
【請求項１】
凹部と、当該凹部の底面に開口する開口部とが形成された筐体と、
前記凹部に嵌合して前記開口部を閉じることが可能なキャップと、当該キャップから延びて前記筐体内に挿入されており、前記キャップが前記凹部から取り外されたときに前記キャップの前記筐体からの離脱を阻止する差込部とを有するキャップ部品と、
を備え、
前記凹部及び前記キャップは、前記キャップが前記凹部に嵌合している状態において、前記凹部の内周面と前記キャップの外周面との境界線の一部に、前記キャップの外周面の一部を露出させる隙間が生じる形状に形成されており、
前記キャップの前記外周面の前記一部は、キャップ内側部分が凹状に形成されることにより突部が形成されており、
前記キャップは、樹脂基体と、当該樹脂基体の表面に、前記突部の先端部を含む所定範囲に亘って形成された装飾層とを有し、前記突部のキャップ内側面と前記突部の先端面との角部よりもキャップ外側にパーティングラインが位置している
携帯電子機器。
【請求項２】
前記突部の前記先端面は平面状であり、
前記角部は曲面状に面取りされており、
前記パーティングラインは、前記面取りされた部分よりもキャップ外側に位置している
請求項１に記載の携帯電子機器。
【請求項３】
前記差込部は、前記樹脂基体よりも軟質の樹脂により形成され、
前記樹脂基体、前記装飾層及び前記差込部は、インモールド成形により一体成形されている
請求項１又は２に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
筐体に取り付けられたキャップ部品を有する携帯電子機器が知られている（例えば、特許文献１）。特許文献１の携帯電子機器では、筐体に、コネクタを外部に露出させるための開口部が形成されている。当該開口部は、キャップ部品の一部であるキャップが筐体に着脱されることにより開閉される。キャップ部品は、キャップから延びて筐体内に挿入される差込部を有している。差込部は、筐体に対して筐体内部側から外部側へ係合し、キャップの筐体からの離脱を阻止する。
【０００３】
上記のようなキャップは、筐体に取り付けられたときに、外観上、筐体と渾然一体となるように構成されることが多い。例えば、キャップは、筐体に形成された凹部に嵌合可能に形成される。また、キャップの表面には、筐体の表面に形成された装飾層（例えば塗装や印刷により形成される膜）と同様の装飾層が形成される。すなわち、キャップは、筐体の一部であるかのように構成される。そして、キャップの取り外しに係る構成も小さくされる。具体的には、キャップの外周面と凹部の内周面との境界線の一部には微小な隙間が形成されるとともに、キャップには、当該隙間に挿入されたユーザの爪が引っ掛けられる係止部が形成される。
【特許文献１】特開２００１−２１０９７２号公報
【発明の開示】
【発明が解決しようとする課題】
【０００４】
ユーザの爪は、キャップを取り外す際に、キャップの係止部の表面を摺動する。従って、その摺動する経路にパーティングラインが存在すると、パーティングラインが装飾層の剥がれの起点となるおそれがある。
【０００５】
本発明の目的は、キャップの装飾層の剥がれを抑制できる携帯電子機器を提供することにある。
【課題を解決するための手段】
【０００６】
本発明の携帯電子機器は、凹部と、当該凹部の底面に開口する開口部とが形成された筐体と、前記凹部に嵌合して前記開口部を閉じることが可能なキャップと、当該キャップから延びて前記筐体内に挿入されており、前記キャップが前記凹部から取り外されたときに前記キャップの前記筐体からの離脱を阻止する差込部とを有するキャップ部品と、を備え、前記凹部及び前記キャップは、前記キャップが前記凹部に嵌合している状態において、前記凹部の内周面と前記キャップの外周面との境界線の一部に、前記キャップの外周面の一部を露出させる隙間が生じる形状に形成されており、前記キャップの前記外周面の前記一部は、キャップ内側部分が凹状に形成されることにより突部が形成されており、前記キャップは、樹脂基体と、当該樹脂基体の表面に、前記突部の先端部を含む所定範囲に亘って形成された装飾層とを有し、前記突部のキャップ内側面と前記突部の先端面との角部よりもキャップ外側にパーティングラインが位置している。
【０００７】
好適には、前記突部の前記先端面は平面状であり、前記角部は曲面状に面取りされており、前記パーティングラインは、前記面取りされた部分よりもキャップ外側に位置している。
【０００８】
好適には、前記差込部は、前記樹脂基体よりも軟質の樹脂により形成され、前記樹脂基体、前記装飾層及び前記差込部は、インモールド成形により一体成形されている。
【発明の効果】
【０００９】
本発明によれば、キャップの装飾層の剥がれを抑制できる。
【発明を実施するための最良の形態】
【００１０】
図１は、本発明の実施形態に係る携帯電話機１（携帯電子機器の一例）の斜視図である。
【００１１】
携帯電話機１は、いわゆるストレートタイプの携帯電話機により構成されており、一の筐体３を有している。筐体３は、例えば、薄型直方体状に形成されている。なお、以下では、筐体３の、厚み方向（図１の紙面上下方向）において互いに対向する部分を正面部３ａ及び背面部３ｂ、正面部３ａ及び背面部３ｂの側方の部分を側面部３ｃということがある。また、筐体３の長手方向の一方側（図１の紙面左上側）の端部を上端部３ｄ、他方側の端部を下端部３ｅということがある。
【００１２】
筐体３は、例えば、正面部３ａ側を構成するフロントケース５と、背面部３ｂを構成するリアケース７及びリッド９とを有している。フロントケース５、リアケース７及びリッド９は、特に図示しないが、例えば、それぞれ樹脂により形成された樹脂基体と、当該樹脂基体の表面に形成された装飾層とを有している。装飾層は、例えば、塗料の塗布や吹き付け等の塗装やインモールド成形における塗料の転写等の印刷により、樹脂基体の表面に形成される。
【００１３】
フロントケース５及びリアケース７は、例えば、不図示のネジにより互いに固定されている。フロントケース５及びリアケース７との間には、例えば、不図示の回路基板やシールドケースが挟持されている。リッド９は、例えば、不図示の係合部によりリアケース７に固定されている。リッド９は、不図示のバッテリーを筐体３内に挿脱するためのものである。
【００１４】
筐体３には、種々の電子部品等が設けられている。例えば、筐体３には、正面部３ａの上端部３ｄ側において開口する放音孔３ｇから音響を出力する不図示の通話用のスピーカ、正面部３ａの下端部３ｅ側において開口する収音孔３ｈから音響が入力される不図示の通話用のマイクロフォン、正面部３ａ側からユーザの操作を受け付ける操作部１１、正面部３ａ側に画像を表示する表示部１３が設けられている。
【００１５】
また、筐体３の側面部３ｃには、筐体３に対して着脱可能なキャップ１７が取り付けられている。なお、キャップ１７は、筐体３の一部として捉えられてもよいが、以下では、筐体３とは別部材であるものとして説明する。
【００１６】
図２は、キャップ１７を筐体３から取り外した状態でキャップ１７近傍を拡大して示す斜視図である。
【００１７】
キャップ１７が筐体３から取り外されると、筐体３からは、コネクタ２１が露出する。コネクタ２１は、例えば、不図示のイヤホンが接続されるコネクタ、又は、不図示の充電器やパソコン等の他の電子機器と携帯電話機１とを接続するケーブルが接続されるコネクタである。コネクタ２１は、筐体３の側面部３ｃに形成されたコネクタ用開口部２９から筐体３外部に露出している。
【００１８】
コネクタ２１は、例えば、コネクタ用開口部２９に嵌合する中空状の外郭部２３と、外郭部２３の内部に配置された板状の基部２５と、基部２５に設けられた複数の端子部２７とを有している。外郭部２３は、例えば、板金により形成されている。基部２５は、例えば、非導電性の樹脂により形成されており、外郭部２３に固定されている。複数の端子部２７は、例えば、金属の導電層により形成されている。
【００１９】
筐体３の側面部３ｃには、凹部３１が形成されている。凹部３１の底部には、コネクタ２１が露出するコネクタ用開口部２９が形成されている。キャップ１７は、凹部３１に嵌合されるとともに、係止部１７ｅが凹部３１の内周に形成された不図示の穴部に係合することにより、筐体３に対して取り付けられる。キャップ１７の凹部３１への着脱により、コネクタ用開口部２９は開閉され、また、コネクタ２１は被覆又は露出される。キャップ１７は、例えば、概ね矩形状の板状に形成されている。
【００２０】
キャップ１７からは、キャップ１７の筐体３からの離脱を阻止するための差込部１９が延びている。なお、以下では、キャップ１７及び差込部１９により構成される部材をキャップ部品１５ということがある。
【００２１】
図３は、キャップ部品１５を筐体３から取り外して示す斜視図である。
【００２２】
差込部１９は、例えば、概ね板状に形成され、正面部３ａ側から見て、キャップ１７から差込部１９が延びる方向に沿う対称軸Ａｘに対して線対称になるように形成されている。差込部１９は、キャップ１７から延びる第１部分１９ａと、第１部分１９ａの先端側（キャップ１７とは反対側）に設けられ、第１部分１９ａよりも幅広な第２部分１９ｂとを有している。
【００２３】
凹部３１の底面には、コネクタ用開口部２９に隣接して差込用開口部３３が形成されている。差込用開口部３３は、筐体３の長手方向を長手方向とするスリット状に形成されている。差込用開口部３３は、コネクタ用開口部２９に繋がっている。すなわち、差込用開口部３３は、コネクタ用開口部２９と一の開口部を形成している。そして、コネクタ２１の外郭部２３がコネクタ用開口部２９に嵌合されることにより、差込用開口部３３は、コネクタ用開口部２９から仕切られている。なお、差込用開口部３３は、コネクタ用開口部２９と全く別個に筐体３に形成されていてもよい。
【００２４】
差込部１９は、幅方向を差込用開口部３３の長手方向に一致させて差込用開口部３３に挿入される。差込用開口部３３の長手方向の径は、第１部分１９ａの幅よりも若干大きく、第２部分１９ｂの幅よりも小さい。差込部１９は、弾性変形を生じることなどにより、差込用開口部３３へ差し込まれる。
【００２５】
キャップ１７が筐体３の凹部３１に嵌合され、コネクタ２１が被覆されているときには、差込部１９は、差込用開口部３３の奥深くまで差し込まれて筐体３内に収容される。キャップ１７が筐体３の凹部３１から取り外され、コネクタ２１が露出されると、図２に示すように、差込部１９は、差込用開口部３３から引き出される。ただし、差込部１９の第２部分１９ｂが、差込用開口部３３の縁部に対して筐体３内部側から外部側へ係合し、差込部１９は、差込用開口部３３からは完全には引き抜かれない。これにより、キャップ１７の筐体３からの離脱が阻止される。差込部１９は、可撓性を有しており、図２に示すように、差込部１９の厚み方向への曲げ変形を生じ、キャップ１７をコネクタ２１の正面から退避させることが可能である。
【００２６】
図２に示すように、キャップ部品１５は、キャップ１７の大部分を構成する第１構成部材１６と、キャップ部品１５の内側の一部、差込部１９及び係止部１７ｅを構成する第２構成部材１８とを有している。なお、係止部１７ｅは、凹部３１の内周面３１ａに係止され、キャップ１７を閉状態で維持可能である。
【００２７】
第１構成部材１６は、例えば、樹脂基体１６ａ（図５参照）と、樹脂基体１６ａの表面に形成された装飾層１６ｂ（図５参照）とを有している。樹脂基体１６ａは、例えば、硬質の樹脂、より詳細には、ＡＢＳ樹脂により形成されている。装飾層１６ｂは、例えば、塗料の塗布や吹き付け等の塗装やインモールド成形における塗料の転写等の印刷（なお、印刷も塗装の一種と捉えられてもよい。）により形成されている。第２構成部材１８は、例えば、第１構成部材１６よりも剛性の低い樹脂、より詳細には、エラストマ等の可撓性を有する樹脂により形成されている。
【００２８】
図１に示すように、凹部３１の内周面３１ａとキャップ１７の外周面１７ａとの境界線の一部には、キャップ１７の外周面１７ａの一部を露出させる隙間ｔが形成されている。隙間ｔは、図１〜図３に示すように、凹部３１の内周面３１ａに切り欠き部３１ｂが形成されることにより形成されている。
【００２９】
一方、図２及び図３に示すように、キャップ１７（第１構成部材１６）の外周面１７ａのうち、キャップ１７が凹部３１に嵌合している状態において切り欠き部３１ｂから露出する部分には、キャップ内側の角部に凹部１７ｒが形成されている。換言すれば、外周面１７ａは、キャップ外側部分に、キャップ内側部分に対して突出する突部１７ｂが形成されている。
【００３０】
図４は、図１のＩＶ−ＩＶ線における断面図である。キャップ１７を凹部３１から取り外すときには、ユーザの爪１０１が、切り欠き部３１ｂを介して凹部１７ｒに挿入される。そして、爪１０１が突部１７ｂに対してキャップ内側からキャップ外側へ引っ掛けられ、キャップ１７は、凹部３１の外側への力が加えられる。係止部１７ｅは、加えられた力によって弾性変形し、不図示の被係合部から外れる。これにより、キャップ１７が凹部３１から取り外される。
【００３１】
図５は、図４の領域Ｖの拡大図である。
【００３２】
図５では、キャップ１７を構成する部材として、上述の第１構成部材１６及び第２構成部材１８の他に、第３構成部材２０を示している。第３構成部材２０は、特に図示しないが、例えば、第１構成部材１６と同様に、ＡＢＳ樹脂等の比較的硬質の樹脂により形成された樹脂基体と、樹脂基体の表面に形成された装飾層とを有している。第３構成部材２０は、例えば、第１構成部材１６の外側に両面テープや接着剤等の接着部材により固定されている。なお、第３構成部材２０は、第１構成部材１６の一部と捉えられてもよいし、省略されてもよい。
【００３３】
突部１７ｂは、キャップ内側の内側面４１と、突部１７ｂの先端側の先端面４３とを有している。内側面４１及び先端面４３は、例えば、平面状に形成されており、互いに直交している。内側面４１は、例えば、キャップ１７のキャップ外側面（側面部３ｃ）に平行である。内側面４１と先端面との角部４５は、曲面状に面取りされている。具体的には、中心角４５度の円弧によりＲ面取りされている。面取りされた範囲は、点Ａから点Ｃまでの範囲である。先端面４３の直線状（平面状）部分の長さ（点Ｃから、後述するパーティングラインＰＬ２までの長さ）は、例えば、０．５ｍｍである。
【００３４】
装飾層１６ｂは、突部１７ｂの先端部を含む範囲に亘って、樹脂基体１６ａの表面に形成されている。具体的には、例えば、凹部１７ｒの底面、突部１７ｂの内側面４１、突部１７ｂの先端面４３、並びに、突部１７ｂの外側面を含むキャップ１７の外側面に亘って形成されている。
【００３５】
爪１０１が突部１７ｂに引っ掛けられ、キャップ１７が取り外される瞬間においては、爪１０１は、突部１７ｂの表面を、キャップ内側から先端にかけて摺動する。このとき、爪１０１は、点Ａ、Ｂ、Ｃの順に通過する。
【００３６】
図６は、キャップ１７を形成するための金型１１１の断面図である。
【００３７】
金型１１１は、互いに対向する第１型１１３及び第２型１１５を有している。第１型１１３と第２型１１５との間には、キャップ本体部と同一形状のキャビティＣａが形成されている。ここで、キャップ本体部は、樹脂基体１６ａ、第１構成部材１６、又は、第１構成部材１６及び第２構成部材１８をいうものとする。キャップ本体部は、溶融状態の樹脂がキャビティＣａに射出されることなどにより形成される。
【００３８】
例えば、金型１１１により樹脂基体１６ａが形成される場合（キャップ本体部が樹脂基体１６ａである場合）、キャビティＣａには、１色の溶融状態の樹脂が射出される。
【００３９】
また、金型１１１により第１構成部材１６が形成される場合（キャップ本体部が第１構成部材１６である場合）、例えば、インモールド成形が行われる。具体的には、装飾層１６ｂとなる塗料が設けられた不図示のフィルムがキャビティＣａに配置された状態で、樹脂基体１６ａとなる溶融状態の樹脂がキャビティＣａ内に射出される。
【００４０】
また、金型１１１により第１構成部材１６及び第２構成部材１８が形成される場合（キャップ本体部が第１構成部材１６及び第２構成部材１８である場合）、例えば、インモールド成形及び２色成形が行われる。例えば、以下のとおりである。金型１１１は、第２型１１５に代えて第１型１１３と対向配置される不図示の第３型を有しており、第１型１１３と第３型とにより第２構成部材１８が形成される。その後、第２構成部材１８を第１型１１３に残したまま、第３型と第２型１１５とを交換する。この際、装飾層１６ｂとなる塗料が設けられた不図示のフィルムがキャビティＣａに配置される。そして、樹脂基体１６ａとなる溶融状態の樹脂がキャビティＣａに射出される。
【００４１】
第１型１１３及び第２型１１５は、キャップ本体部の内側及び外側の方向において対向している。すなわち、第１型１１３は、キャップ本体部のキャップ内側部分を形成する凹部を有し、第２型１１５は、キャップ本体部のキャップ外側部分を形成する凹部を有している。従って、金型１１１のパーティングラインＰＬ１は、キャップ本体部の外周面１７ａに位置することになる。
【００４２】
その結果、キャップ本体部の外周面１７ａには、パーティングラインＰＬ１における段差や隙間に起因するライン状の段差や突部が形成される。なお、一般に、このような段差や突部もパーティングラインと呼ばれることから、本願においても、パーティングラインＰＬ１によって生じた段差や突部をパーティングラインＰＬ２（図５）という。
【００４３】
パーティングラインＰＬ１は、具体的には、外周面１７ａのうち、角部４５よりもキャップ外側に位置している。より詳細には、パーティングラインＰＬ１は、先端面４３の直線状部分のうちキャップ外側の端部に位置している。
【００４４】
以上の実施形態によれば、携帯電話機１は、凹部３１と、凹部３１の底面に開口するコネクタ用開口部２９とが形成された筐体３と、凹部３１に嵌合してコネクタ用開口部２９を閉じることが可能なキャップ１７と、キャップ１７から延びて筐体３内に挿入されており、キャップ１７が凹部３１から取り外されたときにキャップ１７の筐体３からの離脱を阻止する差込部１９とを有するキャップ部品１５と、を有し、凹部３１及びキャップ１７は、キャップ１７が凹部３１に嵌合している状態において、凹部３１の内周面３１ａとキャップ１７の外周面１７ａとの境界線の一部に、キャップ１７の外周面１７ａの一部を露出させる隙間ｔが生じる形状に形成されており、そのキャップ１７の外周面１７ａの一部は、キャップ内側部分が凹状に形成されることにより、キャップ外側部分に突部１７ｂが形成されており、キャップ１７は、樹脂基体１６ａと、樹脂基体１６ａの表面に、突部１７ｂの先端部を含む所定範囲に亘って形成された装飾層１６ｂとを有し、突部１７ｂの内側面４１と突部１７ｂの先端面４３との角部４５よりもキャップ外側にパーティングラインＰＬ２が位置していることから、装飾層１６ｂの剥がれが抑制される。
【００４５】
図７は、上述の本実施形態の効果を説明するための、比較例の金型１２１の断面図である。
【００４６】
金型１２１は、金型１１１のキャビティＣａと同一形状のキャビティＣａを有している。ただし、金型１２１は、パーティングラインＰＬ３の位置が金型１１１と異なっている。具体的には、パーティングラインＰＬ３は、Ｒ面取りされた部分の端部（図５の点Ｃ）に位置している。
【００４７】
この金型１２１により、キャップ本体部を形成した場合、パーティングラインＰＬ３によって形成された段差や突部（パーティングライン）は、図５に示すように、爪１０１が摺動する経路に位置することになる。その結果、点Ｃにおいて爪１０１がパーティングラインに引っ掛かり、装飾層１６ｂが剥がれ始めるおそれがある。
【００４８】
しかし、本実施形態では、パーティングラインＰＬ２は、点Ｃよりもキャップ外側に位置することから、爪１０１がパーティングラインＰＬ２に引っ掛かる頻度は著しく低く、装飾層１６ｂの剥がれが抑制される。
【００４９】
特に、突部１７ｂの先端面４３は平面状であり、角部４５は曲面状に面取りされており、パーティングラインＰＬ２は、面取りされた部分よりもキャップ外側に位置していることから、角部４５から先端面４３にかけては、パーティングラインＰＬ２以外の微小突部も排されており、装飾層１６ｂの剥がれが一層抑制される。なお、先端面４３の直線状部分は、比較的長く形成されることが好ましい。例えば、実施形態において、突部１７ｂは、先端側ほど幅が狭くなる台形状に形成されているが、幅が狭くなる割合を小さくすることが好ましい。
【００５０】
また、差込部１９が、樹脂基体１６ａよりも軟質の樹脂により形成され、樹脂基体１６ａ、装飾層１６ｂ及び差込部１９が、インモールド成形により一体成形されている場合には、微小突部が生じることが一層抑制される。例えば、塗料の吹き付けや塗布における塗装ムラにより微小突部が生じるおそれがない。
【００５１】
本発明は、以上の実施形態に限定されず、種々の態様で実施されてよい。
【００５２】
携帯電子機器は、携帯電話機に限定されない。例えば、携帯電子機器は、デジタルカメラ、ＰＤＡ、ゲーム機であってもよい。また、筐体は、ストレートタイプのものや薄型直方体状のものに限定されない。例えば、筐体は、いわゆる折り畳み式の筐体やスライド式の筐体のように、２以上の筐体を含んで構成される筐体であってもよいし、平面形状が楕円のものであってもよいし、立方体のように薄型でないものであってもよい。
【００５３】
キャップにより開閉される開口部（実施形態ではコネクタ用開口部２９）は、コネクタを露出させるものに限定されない。例えば、メモリカードが挿入される開口部であってもよい。また、開口部は、薄型筐体の側面部に形成されるものに限定されない。例えば、実施形態において、筐体３の長手方向端部の端面において開口するものであってもよい。
【００５４】
キャップの外周面の一部を露出させる隙間（爪を挿入するための隙間、実施形態では隙間ｔ）は、凹部の内周面に切り欠きが形成されることにより形成されるものに限定されない。例えば、キャップの外周面に切り欠きが形成されることにより形成されてもよいし、凹部の内周面にさらに凹部が形成されることにより形成されてもよい。
【００５５】
キャップの突部（実施形態では突部１７ｂ）にパーティングラインが位置する金型によって形成される部分（キャップ本体部）の構成、及び、形成方法は、実施形態において例示したものに限定されない。例えば、実施形態において、キャップ本体部を樹脂基体１６ａ及び第２構成部材１８とし、装飾層１６ｂは塗料の吹き付け等により形成してもよい。また、例えば、実施形態において、第１構成部材１６及び第２構成部材１８を２色成形及びインモールド成形により形成する場合に、第１構成部材１６を先に形成し、第２構成部材１８を後に形成してもよい。
【図面の簡単な説明】
【００５６】
【図１】本発明の実施形態に係る携帯電話機の外観斜視図。
【図２】図１の携帯電話機のキャップ付近を示す斜視図。
【図３】図２と同一部分における分解斜視図。
【図４】図１のＩＶ−ＩＶ線における断面図。
【図５】図４の領域Ｖにおける拡大図。
【図６】図２のキャップを形成するための金型の断面図。
【図７】比較例の金型の断面図。
【符号の説明】
【００５７】
１…携帯電話機（携帯電子機器）、３…筐体、１５…キャップ部品、１６ａ…樹脂基体、１６ｂ…装飾層、１７…キャップ、１７ａ…外周面、１７ｂ…突部、１９…差込部、２９…コネクタ用開口部（開口部）、３１…凹部、３１ａ…内周面、４１…内側面、４３…先端面、４５…角部、ｔ…隙間、ＰＬ２…パーティングライン。
【図１】
2009290562.tif 000003
【図２】
2009290562.tif 000004
【図３】
2009290562.tif 000005
【図４】
2009290562.tif 000006
【図５】
2009290562.tif 000007
【図６】
2009290562.tif 000008
【図７】
2009290562.tif 000009